(57)【要約】      （修正有）【課題】下層部と上層部とを異なるエレベータでサービスする場合であっても、セキュリティを十分確保した状態で、下層、上層間のエレベータの乗り継ぎを快適に行うエレベータのセキュリティシステムを提供する。【解決手段】玄関ドア６の外側に設けられたカードリーダ２４で入力された入居者２２の認証情報が正当な時に玄関ドア６を開放する。さらに、安全管理装置２６が、認証情報に含まれる目的階が上層側エレベータの階の場合、下層側エレベータ制御部２１ａへ中継階までの中継自動運転を指示すると共に上層側エレベータ制御部２１ｂへ目的階への自動運転を指示する。さらに、目的階が下層側エレベータ７の階の場合、下層側エレベータ制御部２１ａへ目的階への自動運転を指示する。【選択図】図１
2008150140.tif 000002
【特許請求の範囲】
【請求項１】
建屋の下層部の各階をサービスする下層側エレベータを制御する下層側エレベータ制御部と、
前記建屋の上層部の各階をサービスする上層側エレベータを制御する上層側エレベータ制御部と、
前記建屋の玄関ドアの外側に設けられ該建屋の入居者の認証情報を入力する認証装置と、
この認証装置で入力された認証情報が正当な時に前記玄関ドアを開放する玄関ドア制御部と、
前記入力された認証情報に含まれる目的階が上層側エレベータの階の場合、前記下層側エレベータ制御部へ前記玄関に通じる階から前記上層側エレベータの最下階に通じる中継階までの中継自動運転を指示すると共に前記上層側エレベータ制御部へ前記中継階に通じる最下階から前記目的階への自動運転を指示し、かつ前記目的階が下層側エレベータの階の場合、前記下層側エレベータ制御部へ前記玄関に通じる最下階から前記目的階への自動運転を指示する安全管理装置と
を備えたこと特徴とするエレベータのセキュリティシステム。
【請求項２】
前記安全管理装置は、前記中継自動運転開始から中継自動運転終了までの所要時間、及び前記上層側エレベータが現在位置から最下階に移動するまでの所要時間に基づいて、前記中継自動運転終了時刻に上層側エレベータが前記最下階に到達するように、前記上層側エレベータ制御部に前記中継階に通じる最下階から前記目的階への自動運転を指示することを特徴とする請求項１記載のエレベータのセキュリティシステム。
【請求項３】
前記中継階における上層側エレベータの近傍位置に設けられ、該建屋の入居者の認証情報を入力する補助認証装置を設け、
前記安全管理装置は、前記補助認証装置で入力された認証情報に含まれる目的階への自動運転を前記上層側エレベータ制御部へ再送信することを
特徴とする請求項１又は２記載のエレベータのセキュリティシステム。
【請求項４】
通信回線を介して前記建屋の入居者から受信した訪問階を指定した訪問者情報を受信する訪問者情報受信部を設け、
前記玄関ドア制御はこの受信した訪問者情報が正当な時に前記玄関ドアを開放し、
前記安全管理装置は前記訪問者情報に含まれる目的階に基づいて前記各エレベータ制御部へ前記各指示を送出することを
特徴とする請求項１から３のいずれか１項記載のエレベータのセキュリティシステム。
【請求項５】
前記下層側エレベータ及び上層側エレベータにおける各階の乗場呼び登録装置、及びかご内のかご呼び登録装置は、当該建屋内から建屋外へ退出する方向のボタン操作を受付け、それ以外のボタン操作を受付ないことを特徴とする請求項１から４までのいずれか１項記載のエレベータのセキュリティシステム。
【発明の詳細な説明】
【技術分野】
【０００１】
本発明は、エレベータのセキュリティシステムに係り、特に建屋の下層部の各階と建屋の上層部の各階とを異なるエレベータでサービスするようにしたエレベータのセキュリティシステムに関する。
【背景技術】
【０００２】
近年、不特定多数の人が訪れることを前提として建設されたデパート等の商業ビル以外のオフィスビルやマンション等の住居ビル等においては、この建屋に不審者が侵入することを未然に防止するためのセキュリティシステムの導入が進められている。
【０００３】
そして、このセキュリティシステムにおいては、当該建屋の入居者に所持させたＩＤカードでもって本人確認を実施した後、建屋の玄関ドアを開くのみならず、建屋のエレベータも本人確認の後に利用可能したものも提唱されている。
【０００４】
例えば、特許文献１の「エレベータ呼び登録装置」においては、居住階又は勤務階を含む本人確認後に実施される建屋の玄関ドア開放に併せて、エレベータに対して自動的に玄関が設けられた１階への乗場呼びが登録され、かつ、エレベータに対して自動的に本人確認で確認された居住階又は勤務階へのかご呼び登録がされる。
【０００５】
したがって、建屋に対する不審者の侵入を未然に防止する安全性を確保するセキュリティシステム本来の機能を発揮できると共に、当該建屋の入居者は、玄関先でＩＤカードリーダ、又はテンキーを用いて自己のＩＤコードを入力するのみで、自動的にエレベータのかごが１階に迎えに来てドアが開き、かごに乗込むと、かごのドアが自動的に閉じ、かごは自動的に入居者の階へ移動してドアが開くので、エレベータを利用するための面倒なボタン操作を実施する必要がないので、入居者の負担を軽減できる。
【０００６】
また、建屋のエレベータに対する各階の乗場呼び及びかご内のかご呼びを制限する機能が付加されたセキュリティシステムも提唱されている。
【特許文献１】特開２００３−１０４６３３号公報
【発明の開示】
【発明が解決しようとする課題】
【０００７】
しかしながら、上述したセキュリティシステムにおいては、玄関ドア開放に連動して乗場呼び、及びかご呼びが自動登録されるエレベータは、たとえ建屋に複数台のエレベータが設置されていたとしても、玄関先でＩＤコードを操作入力した１人の入居者が利用するのみであるので、当然、１台のエレベータのみである。
【０００８】
ここで、近年、職場と住居の接近化を図る目的で、建屋を下層部と上層部とに分離して、下層部をオフィス部とし、上層部を住居部とする場合が多々ある。このような建屋においては、下層部のオフィス部分と上層部の住居部分とを完全に分離して、オフィス部分から住居部分へ直接行けないように、下層部の各階をサービスする下層側エレベータと、上層部の各階をサービスする上層側エレベータとの２種類のエレベータを設置している場合が多い。
【０００９】
このような建屋においては、上層部の住居部分に居住する居住者は、自宅に帰る場合、下層側エレベータを利用して、下層部の最上階（中継階）へ行き、この中継階（上層部の最下階）から上層側エレベータに乗り込んで、自宅がある目的階に向かう。
【００１０】
このような、複数のエレベータの乗り継ぎが必要な建屋に対して、前述した、玄関ドア開放に連動して乗場呼び、及びかご呼びが自動登録されるセキュリティシスムを適用したとしても、十分な安全性と入居者の利便性とを確保できない問題がある。
【００１１】
本発明はこのような事情に鑑みてなされたものであり、たとえ下層部の各階と上層部の各階とを異なるエレベータでサービスする建屋であっても、建屋の侵入者に対する十分のセキュリティを確保した状態で、入居者にとって、下層、上層間のエレベータの乗り継ぎが快適に行うことができ、入居者に対するサービス向上を図ることができるエレベータのセキュリティシステムを提供することを目的とする。
【課題を解決するための手段】
【００１２】
上記課題を解決するために本発明のエレベータのセキュリティシステムにおいては、建屋の下層部の各階をサービスする下層側エレベータを制御する下層側エレベータ制御部と、建屋の上層部の各階をサービスする上層側エレベータを制御する上層側エレベータ制御部と、建屋の玄関ドアの外側に設けられ該建屋の入居者の認証情報を入力する認証装置と、この認証装置で入力された認証情報が正当な時に玄関ドアを開放する玄関ドア制御部とを備えている。
【００１３】
さらに、入力された認証情報に含まれる目的階が上層側エレベータの階の場合、下層側エレベータ制御部へ玄関に通じる階から上層側エレベータの最下階に通じる中継階までの中継自動運転を指示すると共に上層側エレベータ制御部へ中継階に通じる最下階から目的階への自動運転を指示し、かつ目的階が下層側エレベータの階の場合、下層側エレベータ制御部へ玄関に通じる最下階から目的階への自動運転を指示する安全管理装置を備えている。
【００１４】
このように構成されたエレベータのセキュリティシステムにおいては、建屋の上層部の入居者は、建屋の玄関先で、自己の認証情報を認証装置に入力すると、玄関ドアが開放するとともに、下層側エレベータ制御部へ中継階への中継自動運転指示が送出され、上層側エレベータ制御部へ目的階への自動運転指示が送出される。したがって、上層部の入居者は、下層側、上層側の各エレベータに対して、何らボタン操作することなく自己が居住する目的階に辿りつく。
【００１５】
また、建屋の下層部に勤務している入居者は、自己の認証情報を認証装置に入力すると、玄関ドアが開放するとともに、下層側エレベータ制御部へ目的階への自動運転指示が送出される。したがって、下層部の入居者は、下層側エレベータに対して、何らボタン操作することなく自己が勤務する目的階に辿りつく。
【００１６】
このように、建屋の入居者の所属階に応じて、上層、下層の各エレベータに対して、自動乗り継ぎが可能となるので、セキュリティを確保した状態で、入居者に対するサービス向上を図ることができる。
【００１７】
また別の発明は、上記発明のエレベータのセキュリティシステムにおける安全管理装置は、中継自動運転開始から中継自動運転終了までの所要時間、及び上層側エレベータが現在位置から最下位階に移動するまでの所要時間に基づいて、中継自動運転終了時刻に上層側エレベータが最下階に到達するように、上層側エレベータ制御部の中継階に通じる最下階から目的階への自動運転を指示するようにしている。
【００１８】
このように構成されたエレベータのセキュリティシステムにおいては、下層側エレベータが中継階へ到着したタイミングで上層側エレベータが中継階へ到着するので、入居者はスムースにエレベータを乗り継ぐことができる共に、中継階で不審者が上層側エレベータに乗り込むことが極力抑制できる。
【００１９】
また別の発明は、上記発明のエレベータのセキュリティシステムにおいて、中継階における上層側エレベータの近傍位置に設けられ、該建屋の入居者の認証情報を入力する補助認証装置が設けられている。そして、安全管理装置は、補助認証装置で入力された認証情報に含まれる目的階への自動運転を上層側エレベータ制御部へ再送信するようにしている。このような構成においては、仮に、上層部へ向かう入居者が中継階において上層側エレベータに乗り遅れたとしても、自己の認証情報を補助認証装置に入力することにより、玄関に戻ることなく、上層側エレベータの再利用が可能となる。
【００２０】
また別の発明は、上記発明のエレベータのセキュリティシステムに対して、通信回線を介して建屋の入居者から受信した訪問階を指定した訪問者情報を受信する訪問者情報受信部を設けている。そして、玄関ドア制御はこの受信した訪問者情報が正当な時に玄関ドアを開放する。さらに、安全管理装置は訪問者情報に含まれる目的階に基づいて各エレベータ制御部へ各指示を送出する。
【００２１】
このような構成においては、この建屋に対する訪問者は、玄関先で、訪問先の入居者に電話等の通信手段を用いて訪問を告げると、入居者は通信回線を介して、自己の所属階を目的階とした訪問者情報を訪問者情報受信部へ送信する。すると、安全管理装置は訪問者情報に含まれる目的階に基づいて各エレベータ制御部へ各指示を送出するので、この訪問者は、訪問先の入居者と同一条件で、訪問先に達することが可能である。
【００２２】
また別の発明は、上記発明のエレベータのセキュリティシステムにおいては、下層側エレベータ及び上層側エレベータにおける各階の乗場呼び登録装置、及びかご内のかご呼び登録装置は、当該建屋内から建屋外へ退出する方向のボタン操作を受付け、それ以外のボタン操作を受付ない。
【００２３】
このように、建屋内から建屋外へ退出する場合は、各エレベータは通常のボタン操作を受付けるので、利便性がさらに向上できる。
【発明の効果】
【００２４】
本発明においては、たとえ、下層部の各階と上層部の各階とを異なるエレベータでサービスする場合であっても、セキュリティを十分確保した状態で、下層、上層間のエレベータの乗り継ぎを快適に行うことができ、入居者に対するサービス向上を図ることができる。
【発明を実施するための最良の形態】
【００２５】
以下、本発明の各実施形態を図面を用いて説明する。
【００２６】
（第１実施形態）
図１は本発明の第１実施形態のエレベータのセキュリティシステムの概略構成図である。
【００２７】
このセキュリティシステムが組込まれた建屋１は、１階から６階までの下層部２と、６階から１１階までの上層部３とで構成されている。下層部２の最上階の６階、上層部３の最下階の６階は共通の中継階４である。この実施形態においては、１階から６階までの下層部２はオフィスとして使用され、６階から１１階までの上層部３のうちの７階から１１階が住居として使用されている。そして、建屋１の１階に玄関５が設けられ、この玄関５には玄関ドア６が設けられている。
【００２８】
下層部２には１階〜６階をサービスする下層側エレベータ７が設けられ、上層部３には６階〜１１階をサービスする上層側エレベータ８が設けられている。下層側エレベータ７及び上層側エレベータ８はほぼ同一構成であり、昇降路９ａ、９ｂの上側の機械室１０ａ，１０ｂに巻上機１１ａ、１１ｂが設置されている。この巻上機１１ａ、１１ｂに主ロープ１２ａ、１２ｂが掛けられ、主ロープ１２ａ、１２ｂの一端にかご１３ａ、１３ｂが吊り下げられている。
【００２９】
かご１３ａ、１３ｂの一面にはドア１４ａ、１４ｂが設けられ、かご１３ａ、１３ｂ内にはかご呼び登録装置１５ａ、１５ｂが取付けられている。さらに、各階の乗場（エレベータホール）には、かご１３ａ、１３ｂに乗込むためのドア１６ａ、１６ｂ、及び乗場呼び登録装置１７ａ、１７ｂが設けられている。
【００３０】
図２（ａ）は乗場呼び登録装置１７ａ、１７ｂの外観図であり、上方呼びボタン１８及び下方呼びボタン１９が設けられている。図２（ｂ）、（ｃ）は、それぞれ、かご呼び登録装置１５ａ、１５ｂの外観図であり、行き先階を指定する行き先階ボタン２０ａ、２０ｂが設けられている。
【００３１】
各機械室１０ａ、１０ｂ内には、各エレベータ７、８の各かご１３ａ、１３ｂの昇降路９ａ、９ｂ内での上下動作を制御する、例えばコンピュータ等の情報処理装置で構成された下層側エレベータ制御部２１ａ及び上層側エレベータ制御部２１ｂが設けられている。具体的には、下層側エレベータ制御部２１ａ及び上層側エレベータ制御部２１ｂは、基本的に、各階の乗場呼び登録装置１７ａ、１７ｂの上方呼びボタン１８又は下方呼びボタン１９のボタン操作で登録された「乗場呼び」、及びかご呼び登録装置１５ａ、１５ｂの行き先階ボタン２０ａ、２０ｂで登録された「かご呼び」の指定する階へ、各かご１３ａ、１３ｂを巻上機１１ａ、１１ｂを介して、移動させる。
【００３２】
なお、この実施形態のセキュリティシステムが稼働している状態においては、下層側エレベータ制御部２１ａ及び上層側エレベータ制御部２１ｂは、各階の乗場呼び登録装置１７ａ、１７ｂの上方呼びボタン１８のボタン操作は受付けず、下方呼びボタン１９のボタン操作のみを受付ける。同様に、各かご１３ａ、１３ｂのかご呼び登録装置１５ａ、１５ｂの行き先階ボタン２０ａ、２０ｂにおける最下階ボタンのボタン操作のみを受付け、他の階のボタンのボタン操作は受付ない。
【００３３】
すなわち、各階の乗場呼び登録装置１７ａ、１７ｂ及びかご呼び登録装置１５ａ、１５ｂは、建屋１内から建屋１外へ退出する方向のボタン操作を受付け、それ以外のボタン操作を受付ないように予め設定されている。
【００３４】
下層部２及び上昇部３の各入居者２２は、それぞれ自己を特定する認証情報２３ａを記憶したＩＤカード２３を所持している。ＩＤカード２３に記憶された認証情報２３ａは図３（ａ）に示すように、入居者２２の氏名、目的階である使用（居住）階、ＩＤ番号とで構成されている。玄関５の玄関ドア６の外側の壁面には認証装置としてのカードリーダ２４が取付けられている。このカードリーダ２４で読取られた認証情報２３ａは玄関ドア制御部２５及び安全管理装置２６へ入力される。
【００３５】
なお、６階の中継階４の上層側エレベータ８の乗場（エレベータホール）の壁面には、補助認証装置としての補助カードリーダ２７が取付けられている。この補助カードリーダ２７は、上層部３の入居者２２が、下層側エレベータ７から上層側エレベータ８に乗り継ぐ時に、上層側エレベータ８に乗り遅れた場合に、自己が所持しているＩＤカード２３の認証情報２３ａを読取らせる時に使用される。この補助カードリーダ２７で読取られた図３（ａ）に示す認証情報２３ａは安全管理装置２６へ送出される。
【００３６】
さらに、下層部２及び上昇部３の各入居者２２は、建屋１の玄関の５先にいる自己に対する訪問者３２から、例えば公衆電話や携帯電話で訪問要求が告げられると、上層部３の自宅、下層部２のオフィスに設置された入居者ＬＡＮ２９に接続された自己の入居者端末２８を操作して図３（ｂ）に示す訪問者情報３１を訪問者情報受信部３０へ送信する。
【００３７】
この訪問者情報３１には、訪問を受ける入居者氏名、訪問者氏名、入居者の所属階である訪問先階（目的階）、訪問を受ける入居者のＩＤ番号が含まれる。訪問者情報受信部３０は受信した訪問者情報３１を玄関ドア制御部２５及び安全管理装置２６へ送信する。
【００３８】
ＣＰＵ等の小型演算素子で構成された玄関ドア制御部２５には、この建屋１の下層部２、上層部３の各入居者２２のＩＤカード２３に記憶された図３（ａ）に示す認証情報２３ａが認証情報ファイルに記憶されている。そして、玄関ドア制御部２５はカードリーダ２４から入居者２２のＩＤカード２３に記憶された認証情報２３ａが入力されると、この認証情報２３ａが認証情報ファイルに記憶されていた場合は、正当と判定して玄関ドア６を例えば２０秒だけ開放した後に閉じる。この玄関ドア６の開放時間は、短い方が防犯上において有利であるが、過度に短いと、入り遅れる場合もある。
【００３９】
なお、玄関ドア制御部２５は訪問者情報受信部３０から訪問者情報３１が入力されると、この訪問者情報３１における入居者氏名、入居者の所属階である訪問先階（目的階）、訪問を受ける入居者のＩＤ番号が認証情報ファイルに記憶されていた場合は、正当と判定して玄関ドア６を例えば２０秒だけ開放した後に閉じる。
【００４０】
例えばコンピュータ等の情報処理装置で構成された安全管理装置２６は、カードリーダ２４から入力された認証情報２３ａ、及び訪問者情報３１に含まれる目的階が７階〜１１階の場合、中継部（インタフェース）３３を介して下層側エレベータ制御部２１ａへ中継自動運転指示を送出すると共に上層側エレベータ制御部２１ｂへ目的階自動運転指示を送出する。
【００４１】
さらに、安全管理装置２６は、カードリーダ２４から入力された認証情報２３ａ、及び訪問者情報３１に含まれる目的階が１階〜６階の場合、、下層側エレベータ制御部２１ａへ目的階自動運転指示を送出する。
【００４２】
また、安全管理装置２６は補助カードリーダ２７から入力された認証情報２３ａに含まれる目的階が７階〜１１階の場合、中継部（インタフェース）３３を介して上層側エレベータ制御部２１ｂへ目的階自動運転指示を送出する。
【００４３】
具体的には、安全管理装置２６及び玄関ドア制御部２５は、図４に示す流れ図に従って、安全（セキュリティ）チェック処理を実行する。玄関５のカードリーダ２４から認証情報２３ａが入力されると（ステップＳ１）、この認証情報２３ａが正当であるか否かを判定し（Ｓ２）、正当な場合玄関ドア６を２０秒間のみ開放する（Ｓ３）。認証情報２３ａに含まれる目的階が７階〜１１階の上層部３の場合（Ｓ４）、下層側エレベータ制御部２１ａへ中継自動運転指示を送出する（Ｓ５）。さらに、上層側エレベータ制御部２１ｂへ目的階を指定した目的階自動運転指示を送出する（Ｓ６）。また、認証情報２３ａに含まれる目的階が１階〜６階の下層部２の場合（Ｓ４）、下層側エレベータ制御部２１ａへ目的階を指定した目的階自動運転指示を送出する（Ｓ７）。
【００４４】
また、Ｓ８にて、中継階４の上層側エレベータ８の乗場に設けられた補助カードリーダ２７から認証情報２３ａが入力されると、上層部３の入居者２２が、下層側エレベータ７から上層側エレベータ８に乗り継ぐ時に、上層側エレベータ８に乗り遅れたと判断し、認証情報２３ａの正当性の確認ののち（Ｓ９）、上層側エレベータ制御部２１ｂへ目的階を指定した目的階自動運転指示を送出する（Ｓ６）。
【００４５】
なお、Ｓ２、Ｓ９にて、認証情報２３ａが正当でなければ、その旨をカードリーダ２４、２７に赤色ランプ等でエラー表示する（Ｓ１０）。
【００４６】
また、Ｓ１１にて、訪問者情報受信部３０から訪問者情報３１が入力すると、この訪問者情報３１の正当性の確認の後、玄関ドア６を２０秒間のみ開放する（Ｓ１２）。そして、この訪問者情報３１に含まれる訪問者３２の目的階を認証して（Ｓ１３）、Ｓ４へ進み、通常の入居者２２の場合と同様の処理を実施する。
【００４７】
下層側エレベータ７の下層側エレベータ制御部２１ａは、図５に示す流れ図に従って、エレベータの運転処理を実施する。
【００４８】
安全管理装置２６から、中継自動運転指示が入力されると（ステップＱ１）、玄関５に通じる最下階である１階の乗場呼びを自動登録して、かご１３ａを１階の乗場へ移動して、ドア１４ａ、１６ａを、入居者２２がかご１３ａに乗り込むに要する時間である例えば１０秒だけ開放したのち閉じる（Ｑ２）。そして、中継階４である６階のかご呼びを自動登録して、かご１３ａを６階の乗場へ移動させる（Ｑ３）。
【００４９】
かご１３ａが中継階４である６階に到着すると（Ｑ４）、ドア１４ａ、１６ａを、入居者２２がかご１３ａから中継階４に退出する時間である例えば１０秒だけ開放した後、閉じる（Ｑ５、Ｑ７）。そして、中継部３３を介して、上層側エレベータ８の上層側エレベータ制御部２１ｂへドア開放の指示を送出する（Ｑ６）。
【００５０】
安全管理装置２６から、目的階自動運転指示が入力されると（Ｑ８）、玄関５に通じる最下階である１階の乗場呼びを自動登録して、かご１３ａを１階の乗場へ移動して、ドア１４ａ、１６ａを、入居者２２がかご１３ａに乗り込むに要する時間である例えば１０秒だけ開放したのち閉じる（Ｑ９）。そして、入居者２２の所属階である目的階のかご呼びを自動登録して、かご１３ａを目的階の乗場へ移動させる（Ｑ１０）。かご１３ａが目的階に到着すると（Ｑ１１）、ドア１４ａ、１６ａを入居者２２がかご１３ａから目的階に退出する時間である例えば１０秒だけ開放した（Ｑ１２）後、閉じる（Ｑ１３）。
【００５１】
さらに、１階を除く２階〜６階の各階の乗場呼び登録装置１７ａの下向きの乗場呼びが入力すると（Ｑ１４）、この乗場呼びに応答してかご１３ａを乗場呼び発生階へ移動させる（Ｑ１５）。そして、入居者２２がかご１３ａに乗り込んで、かご呼び登録装置１５ａで最下階の１階のかご呼びを入力すると、かご１３ａを操作指定された１階の乗場へ移動させる（Ｑ１６）。かご１３ａが１階に到着すると（Ｑ１７）。ドア１４ａ、１６ａを入居者２２がかご１３ａから玄関５に通じる１階に退出する時間である例えば１０秒だけ開放した（Ｑ１８）後、閉じる（Ｑ１９）。
【００５２】
上層側エレベータ８の上層側エレベータ制御部２１ｂは、図６に示す流れ図に従って、エレベータの運転処理を実施する。
【００５３】
安全管理装置２６から、目的階自動運転指示が入力されると（ステップＲ１）、下層側エレベータ７との中継階４である６階の乗場呼びを自動登録して、かご１３ｂを６階の乗場へ移動開始して（Ｒ２）、かご１３ｂが６階に到着すると（Ｒ３）、ドア１４ｂ、１６ｂを閉じた状態で待機する。
【００５４】
下層側エレベータ制御部２１ａからドア開放指示が入力すると（Ｒ４）、ドア１４ｂ、１６ｂを開放し、入居者２２が下層側エレベータ７から上層側エレベータ８のかご１３ｂに乗り込むに要する時間である例えば６０秒だけ開放したのち閉じる（Ｒ５）。そして、入居者２２の所属階である目的階のかご呼びを自動登録して、かご１３ｂを目的階の乗場へ移動させる（Ｒ６）。
【００５５】
かご１３ｂが目的階に到着すると（Ｒ７）、ドア１４ｂ、１６ｂを入居者２２がかご１３ｂから目的階に退出する時間である例えば１０秒だけ開放した（Ｒ８）後、閉じる（Ｒ９）。
【００５６】
さらに、最下階でかつ中継階４である６階を除く７階〜１１階の各階の乗場呼び登録装置１７ｂの下向きの乗場呼びが入力すると（Ｒ１０）、この乗場呼びに応答してかご１３ｂを乗場呼び発生階へ移動させる（Ｒ１１）。そして、入居者がかご１３ｂに乗り込んで、かご呼び登録装置１５ｂで最下階の６階のかご呼びを入力すると、かご１３ｂを操作指定された６階の乗場へ移動させる（Ｒ１２）。
【００５７】
かご１３ｂが６階に到着すると（Ｒ１３）。ドア１４ｂ、１６ｂを入居者２２がかご１３ｂから下層エレベータ７に通じる中継階４に退出する時間である例えば１０秒だけ開放した（Ｒ１４）後、閉じる（Ｒ１５）。
【００５８】
このように構成された第１実施形態のエレベータのセキュリティシステムにおいては、通常状態においては、建屋１の玄関ドア６は閉じた状態であり、下層側エレベータ７、上層側エレベータ８においては、各階の乗場呼び登録装置１７ａ、１７ｂ及びかご呼び登録装置１５ａ、１５ｂは、建屋１内から建屋１外へ退出する方向のボタン操作を受付け、それ以外のボタン操作を受付ないように予め設定されている。
【００５９】
そして、この建屋１の入居者２２は、玄関５でカードリーダ２４に自己のＩＤカード２３の認証情報２３ａを読取らせることによって、また、この建屋１への訪問者３２は訪問先の入居者２２から指定された訪問情報３１によって、自動的に開放した建屋１の玄関ドア６を入ることができる。
【００６０】
したがって、不審者はこの建屋１に侵入することはできない。仮に、入居者２２と同時に建屋１に侵入したとしても、下層側エレベータ７、上層側エレベータ８を操作して任意の階に移動できないので、この建屋１の不審者の侵入に対するセキュリティのレベルを大幅に向上できる。
【００６１】
さらに、この建屋１の入居者２２、訪問者３２にとっては、玄関ドア６が自動開放するとともに、上層部３の入居者２２、訪問者３２は、下層側エレベータ７が１階から中継階４へ自動運転され、上層側エレベータ８が中継階から目的階まで自動運転されるので、何らボタン操作することなく自己が居住する目的階に辿りつくことができる。
【００６２】
同様に、建屋１の下層部２の入居者２２、訪問者３２は、下層側エレベータ７が１階から目的階まで自動運転されるので、何らボタン操作することなく自己が勤務する目的階に辿りつくことができる。
【００６３】
また、たとえ、上層側エレベータ８が下層側エレベータ７より早く中継階４に到着したとしても、下層側エレベータ７が中継階４に到着するまでは、ドア１４ｂ、１６ｂは開放しないので、不審者や目的階が異なる入居者２２がかご１３ｂに乗り込むことが極力抑制できる。
【００６４】
このように、セキュリティを十分確保した状態で、居住者に対するサービス向上を図ることができる。
【００６５】
また、上層側エレベータ８の中継階４の乗場（エレベータホール）の壁面には補助カードリーダ２７が取付けられている。上層部３の入居者２２が、下層側エレベータ７から上層側エレベータ８に乗り継ぐ時に、上層側エレベータ８に乗り遅れた場合に、自己が所持しているＩＤカード２３の認証情報２３ａを読取らせることによって、再度、上層側エレベータ８を呼び寄せて、目的階へ向かうことができる。すなわち、玄関ドア６の開放の最初からやり直す必要はない。
【００６６】
なお、訪問者３２が乗り遅れると、ＩＤカード２３を所持していないので、下層側エレベータ７、玄関ドア６を逆方向に移動して、一旦建屋１外へ出て、再度訪問先に連絡を取る必要がある。
【００６７】
（第２実施形態）
図７は本発明の第２実施形態のエレベータのセキュリティシステムにおける安全管理装置２６及び玄関ドア制御部２５が行う安全チェック処理動作を示す流れ図である。なお、セキュリティシステムの全体構成図は、図１に示す第１実施形態のセキュリティシステムシステムの全体構成図とほぼ同じであるので、説明を省略する。
【００６８】
玄関５のカードリーダ２４から認証情報２３ａが入力されると（ステップＴ１）、この認証情報２３ａが正当であるか否かを判定し（Ｔ２）、正当な場合玄関ドア６を２０秒間のみ開放する（Ｔ３）。認証情報２３ａに含まれる目的階が７階〜１１階の上層部３の場合（Ｔ４）、下層側エレベータ制御部２１ａへ中継自動運転指示を送出する（Ｔ５）。
【００６９】
ここで、下層側エレベータ７のかご１３ａの現在位置等の状態から、かご１３ａが１階へ戻り、入居者２２を乗せて、中継階４に到達する到達予想時刻ｔ1を算出する（Ｔ６）。次に、上層側エレベータ８のかご１３ｂの現在位置等の状態から、最短時間でかご１３ｂａが６階へ戻るための所要時間Ｔ1を算出する（Ｔ７）。
【００７０】
そして、現在時刻ｔが、到達予想時刻ｔ1から所要時間Ｔ1を減算した時刻（ｔ1−Ｔ1）＝ｔに達した時点で（Ｔ８）、上層側エレベータ制御部２１ｂへ目的階を指定した目的階自動運転指示を送出する（Ｔ９）。
【００７１】
また、認証情報２３ａに含まれる目的階が１階〜６階の下層部２の場合（Ｔ４）、下層側エレベータ制御部２１ａへ目的階を指定した目的階自動運転指示を送出する（Ｔ１０）。
【００７２】
また、Ｔ１１にて、中継階４の上層側エレベータ８の乗場に設けられた補助カードリーダ２７から認証情報２３ａが入力されると、上層部３の入居者２２が、下層側エレベータ７から上層側エレベータ８に乗り継ぐ時に、上層側エレベータ８に乗り遅れたと判断し、認証情報２３ａの正当性の確認ののち（Ｔ１２）、上層側エレベータ制御部２１ｂへ目的階を指定した目的階自動運転指示を送出する（Ｔ９）。
【００７３】
なお、Ｔ２、Ｔ１２にて、認証情報２３ａが正当でなければ、その旨をカードリーダ２４、２７に赤色ランプ等でエラー表示する（Ｔ１３）。
【００７４】
また、Ｔ１４にて、訪問者情報受信部３０から訪問者情報３１が入力すると、この訪問者情報３１の正当性の確認の後、玄関ドア６を２０秒間のみ開放する（Ｔ１５）。そして、この訪問者情報３１に含まれる訪問者の目的階を認証して（Ｓ１６）、Ｔ４へ進み、通常の入居者２２の場合と同様の処理を実施する。
【００７５】
なお、下層側エレベータ制御部２１ａ及び上層側エレベータ制御部２１ｂの動作は、図５、図６に示した第１実施形態の下層側エレベータ制御部２１ａ及び上層側エレベータ制御部２１ｂの動作とほぼ同じであるので、説明を省略する。
【００７６】
このように構成された第２実施形態のエレベータのセキュリティシステムにおいては、下層側エレベータ７が中継階４に到着する時刻と上層側エレベータ８が中継階４に到着する時刻とがほぼ一致するように、上層側エレベータ制御部２１ｂに対する目的階を指定した目的階自動運転指示を送出する時刻を調整している。
【００７７】
したがって、上層側エレベータ８が下層側エレベータ７より早く中継階４に到着して、下層側エレベータ７が中継階４に到着するまで、ドア１４ｂ、１６ｂを閉じて待機する時間を短縮でき、不審者や目的階が異なる入居者２２がかご１３ｂに乗り込むことが極力抑制できることは勿論のこと、上層側エレベータ８を効率的に運転できる。
【図面の簡単な説明】
【００７８】
【図１】本発明の第１実施形態に係わるエレベータのセキュリティシステムの概略構成を示す図
【図２】実施形態のセキュリティシステムにおける乗場呼び登録装置及びかご呼び登録装置の外観図
【図３】同実施形態のセキュリティシステムにおけるＩＤカード及び訪問者情報を示す図
【図４】同実施形態のセキュリティシステムにおける安全管理装置と玄関ドア制御部の動作を示す流れ図
【図５】同実施形態のセキュリティシステムにおける下層側エレベータ制御部の動作を示す流れ図
【図６】同実施形態のセキュリティシステムにおける上層側エレベータ制御部の動作を示す流れ図
【図７】本発明の第２実施形態に係わるエレベータのセキュリティシステム安全管理装置と玄関ドア制御部の動作を示す流れ図
【符号の説明】
【００７９】
１…建屋、２…下層部、３…上層部、４…中継階、５…玄関、６…玄関ドア、７…下層側エレベータ、８…上層側エレベータ、９ａ，９ｂ…昇降路、１３ａ，１３ｂ…かご、１４ａ，１４ｂ，１６ａ，１６ｂ…ドア、１５ａ，１５ｂ…かご呼び登録装置、１７ａ，１７ｂ…乗場呼び登録装置、２１ａ…下層側エレベータ制御部、２１ｂ…上層側エレベータ制御部、２２…入居者、２３…ＩＤカード、２４…カードリーダ、２５…玄関ドア制御部、２６…安全管理装置、２７…補助カードリーダ、２８…入居者端末、３０…訪問者情報受信部、３１…訪問者情報、３２…訪問者、３３…中継部
【図１】
2008150140.tif 000003
【図２】
2008150140.tif 000004
【図３】
2008150140.tif 000005
【図４】
2008150140.tif 000006
【図５】
2008150140.tif 000007
【図６】
2008150140.tif 000008
【図７】
2008150140.tif 000009